Podtech/llm-jp-corpus-v4-ja_patent huggingface dataset:
【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】  癌の処置を必要とする患者の癌を処置するための組成物であって、該組成物は、相乗レベルの癌細胞死を誘導する有効量の、（１）ＦＰＴインヒビター、および（２）さらなるＲａｓシグナル伝達経路インヒビターを含む、組成物。
【請求項２】  癌の処置を必要とする患者の癌を処置するための組成物であって、該組成物は、有効量の（１）以下のＦＰＴインヒビター：
【化１】
2003529540.tif 000001
および（２）さらなるＲａｓシグナル伝達経路インヒビターを含む、組成物。
【請求項３】  癌患者において相乗レベルの癌細胞死を誘導するための組成物であって、該組成物は、有効量の（１）ＦＰＴインヒビターおよび（２）さらなるＲａｓシグナル伝達経路インヒビターを含む、組成物。
【請求項４】  前記ＦＰＴインヒビターが縮合環三環式ベンゾシクロヘプタピリジンである、請求項１または３に記載の組成物。
【請求項５】  前記さらなるＲａｓシグナル伝達経路インヒビターがキナーゼインヒビターである、請求項１、２または３に記載の組成物。
【請求項６】  前記さらなるＲａｓシグナル伝達経路インヒビターが、前記Ｒａｓシグナル伝達経路におけるＲａｓの下流のエレメントを阻害する、請求項１、２または３に記載の組成物。
【請求項７】  前記さらなるＲａｓシグナル伝達経路インヒビターがＭＥＫインヒビターである、請求項１に記載の組成物。
【請求項８】  前記さらなるＲａｓシグナル伝達経路インヒビターが増殖因子レセプターインヒビターである、請求項１、２または３に記載の組成物。
【請求項９】  前記増殖因子レセプターインヒビターがチロシンキナーゼインヒビターである、請求項８に記載の組成物。
【請求項１０】  前記チロシンキナーゼインヒビターが、（１）ｅｒｂＢ２レセプターインヒビター、（２）ＰＤＧＦレセプターインヒビター、（３）ＩＧＦレセプターインヒビター、および（４）ＥＧＦレセプターチロシンキナーゼインヒビター、からなる群より選択される低分子である、請求項９に記載の組成物。
【請求項１１】  前記増殖因子レセプターインヒビターが、増殖因子レセプターの細胞外ドメインに対して指向される抗体である、請求項８に記載の組成物。
【請求項１２】  前記抗体が、ｅｒｂＢ２レセプターを標的とするモノクローナル抗体、またはＥＧＦレセプターを標的とするモノクローナル抗体である、請求項１１に記載の組成物。
【請求項１３】  前記抗体がｅｒｂＢ２レセプターを標的とするモノクローナル抗体である、請求項１１に記載の組成物。
【請求項１４】  前記ＦＰＴインヒビターが１．４〜４００ｍｇ／日の量である、請求項１、２または３に記載の組成物。
【請求項１５】  前記ＦＰＴインヒビターが３．５〜７０ｍｇ／日の量である、請求項１４に記載の組成物。
【請求項１６】  前記さらなるＲａｓシグナル伝達経路インヒビターが１〜３５０ｍｇ／日の量である、請求項１、２または３に記載の組成物。
【請求項１７】  前記さらなるＲａｓシグナル伝達経路インヒビターが３．５〜７０ｍｇ／日の量である請求項１６に記載の組成物。
【請求項１８】  前記ＦＰＴインヒビター、および前記さらなるＲａｓシグナル伝達経路インヒビターが、同時に投与または連続してされるのに適する、請求項１、２または３に記載の組成物。
【請求項１９】  前記さらなるＲａｓシグナル伝達経路インヒビターが最初に投与されるのに適する、請求項１８に記載の組成物。
【請求項２０】  前記ＦＰＴインヒビターが最初に投与されるのに適する、請求項１８に記載の組成物。
【請求項２１】  前記癌が、肺癌、膵臓癌、結腸癌、卵巣癌、肝臓癌、骨髄性白血病、黒色腫、甲状腺濾胞性癌、膀胱癌、神経膠腫、骨髄異形成症候群、乳癌または前立腺癌である、請求項１、２または３に記載の組成物。
【請求項２２】  化学療法剤を投与する工程をさらに含む、請求項１に記載の組成物。
【請求項２３】  前記化学療法剤が、ウラシルマスタード、クロルメチン、シクロホスファミド、イホスファミド、メルファラン、クロラムブシル、ピポブロマン、トリエチレンメラミン、トリエチレンチオホスホルアミン、ブスルファン、カルムスチン、ロムスチン、ストレプトゾシン、ダカルバジン、テモゾロミド、メトトレキサート、５−フルオロウラシル、フロクスウリジン、シタラビン、６−メルカプトプリン、６−チオグアニン、フルダラビンホスフェート、ペントスタチン、ゲムシタビン、ビンブラスチン、ビンクリスチン、ビンデシン、ブレオマイシン、ダクチノマイシン、ダウノルビシン、ドキソルビシン、エピルビシン、イダルビシン、パクリタキセル、ミトラマイシン、デオキシコホルマイシン、マイトマイシン−Ｃ、Ｌ−アスパラギナーゼ、インターフェロン、エトポシド、テニポシド、１７α−エチニルエストラジオール、ジエチルスチルベストロール、テストステロン、プレドニゾン、フルオキシメステロン、プロピオン酸ドロモスタノロン、テストラクトン、酢酸メゲストロール、タモキシフェン、メチルプレドニゾロン、メチルテストステロン、プレドニゾロン、トリアムシノロン、クロロトリアニセン、ヒドロキシプロゲステロン、アミノグルテチミド、エストラムスチン、酢酸メドロキシプロゲステロン、ロイプロリド、フルタミド、トレミフェン、ゴセレリン、シスプラチン、カルボプラチン、ヒドロキシ尿素、アムサクリン、プロカルバジン、ミトーテン、ミトザントロン、レバミゾール、ナベルベン、ＣＰＴ−１１、アナストラゾール、レトラゾール、カペシタビン、レロキサフィン、ドロロキサフィン、ゲムシタビン、パクリタキセル、またはヘキサメチルメラミンから選択される、請求項２２に記載の組成物。
【請求項２４】  前記抗腫瘍剤がテモゾロミドである、請求項２２に記載の組成物。
【請求項２５】  放射線と組み合せて使用するのに適する、請求項１に記載の組成物。
【請求項２６】  癌の処置を必要とする患者の癌を処置するための組成物であって、該組成物は、（１）ＦＰＴインヒビター、および（２）さらなるＲａｓシグナル伝達経路インヒビターを含み、ここで該ＦＰＴインヒビターが１．４〜４００ｍｇ／日の量である、組成物。
【請求項２７】  癌の処置を必要とする患者の癌を処置するための組成物であって、該組成物は、（１）ＦＰＴインヒビター、および（２）さらなるＲａｓシグナル伝達経路インヒビターを含み、ここで該さらなるＲａｓシグナル伝達経路インヒビターが１〜３５０ｍｇ／日の量である、組成物。
【請求項２８】  癌患者における腫瘍容積を後退させる組成物であって、有効量の（１）ＦＰＴインヒビターおよび（２）さらなるＲａｓシグナル伝達経路インヒビターを含む、組成物。
【請求項２９】  癌細胞死がアポトーシスを介して生じる、請求項１に記載の組成物。
【誤訳訂正書】
【提出日】平成18年12月7日(2006.12.7)
【誤訳訂正１】
【訂正対象書類名】明細書
【訂正対象項目名】００１０
【訂正方法】変更
【訂正の内容】
【００１０】
錯化剤は特に酸−アルコール、ポリ酸−アルコール、又はそれらの塩から選択される。酸−アルコールの例としてはグリコール酸又は乳酸が挙げられる。ポリ酸−アルコールの例としてはリンゴ酸及びクエン酸が挙げられる。
錯化剤は更にアミノ脂肪酸、好ましくはアミノポリ脂肪酸、又はそれらの塩が挙げられる。このような錯化剤の例としては、エチレンジアミノテトラ酢酸、ニトリロトリ酢酸、Ｎ，Ｎ−ジアセトグルタミン酸のナトリウム塩つまり（ＮａＣＯＯ-）ＣＨ2ＣＨ2−ＣＨ（ＣＯＯＮａ）Ｎ（ＣＨ2ＣＯＯ-Ｎａ）2がある。
他の好都合な錯化剤の例としては、ポリアクリル酸及びそれらの塩、例えばポリアクリル酸ナトリウム、より具体的には質量平均分子量が２０００〜５０００のものが挙げられる。
最後に、同じ分散体中には一種以上の錯化剤が存在できる。
【誤訳訂正書】
【提出日】平成19年2月7日(2007.2.7)
【誤訳訂正１】
【訂正対象書類名】明細書
【訂正対象項目名】００１０
【訂正方法】変更
【訂正の内容】
【００１０】
前文節に上述した方法の好ましい実施態様では、
（ａ）カルボン酸基を有する化合物と第一塩基とヨウ化物塩とＮ，Ｎ−ジメチルチオカルバモイルクロリドとを、有機成分とを水とを含んでおりこの水がカルボン酸基を有している化合物の約０．２５重量％〜約１０重量％の量で存在している溶媒系中で、約１０℃から約３０℃の範囲の温度で反応させる段階と、
（ｂ）段階（ａ）の生成物とアルコキシド塩、チオアルコキシド塩、場合によっては水和したスルフィド塩またはそれらの混合物とを約−４０℃から約３５℃の範囲の温度で反応させる段階と、
（ｃ）段階（ｂ）の生成物と酸とを反応させる段階と、
から成るカルボン酸基をカルボチオ酸基に変換する方法が開示されている。
【誤訳訂正２】
【訂正対象書類名】明細書
【訂正対象項目名】００７７
【訂正方法】変更
【訂正の内容】
【００７７】
式（３）の化合物から式（５）の化合物への変換は、式（３）の化合物と式（４）の化合物とヨウ化物塩、例えばアルカリ金属ヨウ化物、アルカリ土類金属ヨウ化物またはヨウ化テトラアルキルアンモニウムとを、水、Ｃ２−Ｃ５アルキルアミド、Ｃ４−Ｃ６ジアルコキシアルキル、Ｃ１−Ｃ４アルコール、Ｃ１−Ｃ４ハロアルキル、Ｃ３−Ｃ１０ケトンまたはそれらの混合物のような溶媒中で反応させることによって行う。反応の進行に伴って酸が遊離するので、少なくとも化学量論的量の塩基例えばジイソプロピルエチルアミン、ピリジンまたはトリエチルアミンと共に反応を進行させるのが好ましい。式（４）の化合物は市販化合物でもよくまたは当業界で公知の手段によって製造してもよい（Ｔｅｔｒａｈｅｄｒｏｎ，１９８０，３６（４），５３９；Ｃｈｅｍ．Ｂｅｒ．１９８０，１１３（５），１８９８；及びＪｕｓｔｕｓ  Ｌｉｅｂｉｇｓ  Ａｎｎ．Ｃｈｅｍ．，１９５４，５９０，１２３）。一般に約０℃−約３０℃で、反応温度及び反応体の種類に依存して約１時間−約４８時間反応させる。好ましい実施態様では、この変換は、式（３）の化合物と式（４）の化合物とトリエチルアミンとヨウ化ナトリウムとを、２−ブタノンと式（３）の化合物の約０．２５重量％〜約１０重量％の量で存在する水との中で約２４時間反応させることによって得られる。
【誤訳訂正３】
【訂正対象書類名】明細書
【訂正対象項目名】００１３
【訂正方法】変更
【訂正の内容】
【００１３】
【化１７】
2003529564.tif 000001
〔式中、- - - の記号は単結合または二重結合を表し、Ｒ１またはＲ２の一方が水素を表し他方が場合によっては保護されたヒドロキシルを表すか、または、Ｒ１とＲ２とが一緒にオキソを表し、Ｒ３及びＲ４は独立に水素またはハロゲン化物を表し、Ｒ５及びＲ６は独立にＣ１−Ｃ６アルキルを表す〕
の化合物の製造方法が開示されている。該方法は、
（ａ）式（１）：
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  欠陥について基板を検査するための自動化システムであって、該基板が、ウェハの少なくとも一部を含み、該システムが、以下：
検査の間、該基板を移動させるように配置された、プラットフォーム；
視覚検査デバイスであって、該基板が該視覚検査デバイスに関して移動している間、該基板に関する画像を捕捉するように構成されている、視覚検査デバイス；
該視覚検査デバイスによって該画像を捕捉すること補助するための、該基板が該視覚検査デバイスに関して移動している間に該基板の少なくとも一部を自動的に照射するように構成された、ストロボ照射器；および
該捕捉された画像を複数の基板の画像に基づいて生成された参照モデルと比較して、該基板の欠陥を検出するように構成された、プロセッサ、
を備える、自動化システム。
【請求項２】  請求項１に記載の自動化システムであって、前記プロセッサが、前記複数の基板の画像を統計的に分析することによって前記参照モデルを生成するようにさらに構成されている、自動化システム。
【請求項３】  請求項２に記載の自動化システムであって、前記プロセッサが、前記複数の基板の画像を獲得するために、前記プラットフォーム、視覚検査デバイス、およびストロボ照射器を制御するようにさらに構成されている、自動化システム。
【請求項４】  請求項１に記載の自動化システムであって、前記基板が、全ウェハ、切込みウェハおよび壊れたウェハのうちの少なくとも１つを含む、自動化システム。
【請求項５】  請求項１に記載の自動化システムであって、前記基板が、ウェハフィルムフレーム、ダイゲルパック、ダイワッフルパック、マルチチップモジュール、ＪＥＤＥＣトレイおよびＡｕｅｒボードのうちの少なくとも１つを含む、自動化システム。
【請求項６】  請求項１に記載の自動化システムであって、前記ストロボ照射器が、前記基板を可変ストロボ速度で選択的に照射するように構成されており、該可変ストロボ速度および前記視覚検査デバイスに対する該基板の移動に関する速度のうちの少なくとも一方が、他方に相関するように自動的に調節される、自動化システム。
【請求項７】  請求項１に記載の自動化システムであって、前記プロセッサが、少なくとも２つの既知の品質の基板の画像から参照モデルを生成するように構成されている、自動化システム。
【請求項８】  請求項６に記載の自動化システムであって、前記視覚検査デバイスが、複数の倍率レベルで前記基板を検査するように構成されており、前記ストロボ速度および前記視覚検査デバイスに対する該基板の移動に関する速度が、該倍率レベルに相関する、自動化システム。
【請求項９】  請求項６に記載の自動化システムであって、前記照射器が、前記基板の検査の間、不連続的に前記ストロボ速度を変更するように構成されている、自動化システム。
【請求項１０】  請求項８に記載の自動化システムであって、前記視覚検査デバイスが、１つの基板の検査の間に前記倍率レベルを変更するように構成されている、自動化システム。
【請求項１１】  欠陥について基板を検査する自動化方法であって、該基板が、ウェハの少なくとも一部を含み、該方法が、以下：
視覚検査デバイスに関して、第１の参照基板を移動させる工程；
該第１の参照基板が該視覚検査デバイスに関して移動している間、該第１の参照基板と関連する第１の画像を収集する工程；
該視覚検査デバイスに関して、第２の参照基板を移動させる工程；
該第２の参照基板が該視覚検査デバイスに関して移動している間、該第２の参照基板に関する第２の画像を収集する工程；
該第１の画像および該第２の画像に基づいて、参照モデルを作成する工程；
未知の品質の基板を該視覚検査デバイスに関して移動させる工程；
該未知の品質の基板が該視覚検査デバイスに関して移動している間、該未知の品質の基板の少なくとも一部を自動的に照射する工程；
該未知の品質の基板の少なくとも一部が照射され、該未知の品質の基板が、該視覚検査デバイスに関して移動している間、該未知の品質の基板に関する一組の画像を収集する工程；および
該一組の画像を該参照モデルと比較して、該未知の品質の基板における欠陥を検出する工程、
を包含する、方法。
【請求項１２】  請求項１１に記載の方法であって、前記自動的に照射する工程が、ストロボ速度でストロボ照射を提供する工程を包含し、該方法が、さらに、該ストロボ速度と前記視覚検査デバイスに関する前記未知の品質の基板の動きの速度との間で相関させる工程を包含する、方法。
【請求項１３】  請求項１２に記載の方法であって、前記動きの速度を変更する工程をさらに包含し、前記画像を収集する工程が、該動きの速度を変更させながら、画像を収集する工程を包含する、方法。
【請求項１４】  請求項１２に記載の方法であって、検査の倍率レベルを変更する工程、およびそれに応じて前記動きの速度を変更する工程をさらに包含する、方法。
【誤訳訂正書】
【提出日】平成19年3月16日(2007.3.16)
【誤訳訂正１】
【訂正対象書類名】明細書
【訂正対象項目名】特許請求の範囲
【訂正方法】変更
【訂正の内容】
【特許請求の範囲】
【請求項１】  水との接触により、投与量の６５から９５％が３ないし４時間以内に放出されるリバスチグミン投与量を含む第１成分、および、
リバスチグミン投与量、水溶性浸透誘導剤および水膨張可能（swellable）賦形剤を含む第２成分を含み、該第２成分が、使用に際し水性液体との接触により一定の遅延後に破裂しリバスチグミンを放出するコーティングを有する、
経口投与用医薬組成物：
前記水溶性浸透誘導剤は、アルギン酸およびその誘導体、寒天、微結晶性セルロース、ミクロファインセルロース、メチルセルロース、架橋カルボキシメチルセルロース、カルボキシメチル澱粉、修飾澱粉、架橋ポリビニルポリピロリドン、コロイド状二酸化珪素、酸化エチレン含有高分子量ポリマー、ベントナイト、ビーガム、モンモリロナイト、乾燥柑橘類パルプ、キシランおよびまたコレスチルアミンからなる群から選択され、
前記水膨張可能賦形剤は、塩化ナトリウム、リン酸水素ナトリウム、硝酸ナトリウム、酢酸ナトリウム、酒石酸、クエン酸、コハク酸、マンニトール、グルコース、フルクトース、ラクトースおよびデキストランからなる群から選択される。
【請求項２】  第２成分のコーティングが半透膜である、請求項１に記載の医薬組成物。
【請求項３】  第１成分がセルロース誘導体コーティングを有する、請求項１または２に記載の医薬組成物。
【請求項４】  セルロース誘導体コーティングが、エチルセルロースおよびヒドロキシプロピルメチルセルロースを含む、請求項３に記載の医薬組成物。
【請求項５】  第１成分がリバスチグミンをマトリックス中に含む、請求項１から４のいずれかに記載の医薬組成物。
【請求項６】  第１成分において、リバスチグミンが親水性ゲル形成物質中にある、請求項１から５のいずれかに記載の医薬組成物。
【請求項７】  親水性ゲル形成物質が、第１成分の１０から５０重量％で存在する、請求項６記載の医薬組成物。
【請求項８】  親水性ゲル形成物質がヒドロキシメチルセルロースを含む、請求項６または７に記載の医薬組成物。
【請求項９】  リバスチグミンの第１治療的有効量が摂取後３ないし４時間以内に放出され、その後、リバスチグミンの第２治療的有効量が摂取後６から１２時間に放出される請求項１から８のいずれかに記載の医薬組成物。
【請求項１０】  第１成分が被覆粒子を含む、請求項１から９のいずれかに記載の医薬組成物。
【請求項１１】  カプセルまたは錠剤の形である、請求項１から１０のいずれかに記載の医薬組成物。
【誤訳訂正２】
【訂正対象書類名】明細書
【訂正対象項目名】００７６
【訂正方法】変更
【訂正の内容】
【００７６】
第２成分の膨張工程における浸透圧を作るまたは誘導するのに使用し得る更なる賦形剤は、水溶性担体(浸透誘導物質)、例えば、胃または腸粘膜を刺激しない物質、例えば、塩化ナトリウム、リン酸水素ナトリウム、硝酸ナトリウムおよび酢酸ナトリウムのような無機または有機塩、または酒石酸、クエン酸またはコハク酸およびまた糖、特にマンニトール、グルコース、フルクトース、ラクトースおよび異なる分子量のデキストラン化合物でもある。担体の量は、少量から用いるリバスチグミンの量の数倍まで変化し得る。
【誤訳訂正書】
【提出日】平成19年7月30日(2007.7.30)
【誤訳訂正１】
【訂正対象書類名】特許請求の範囲
【訂正対象項目名】全文
【訂正方法】変更
【訂正の内容】
【特許請求の範囲】
【請求項１】
二次元以上の画像を表す特徴ベクトルを導き出す方法であって、
（ｉ）入力画像マッパーが所定のマッピング関数を使用して前記画像の一次元表現を導き出すことであって、前記一次元表現は、連続的に変化して前記画像の隣接領域を表すレベルを有する、前記画像の一次元表現を導き出すことと、
（ｉｉ）画像テクスチャ分類器が、少なくとも、前記レベルが回数しきい値関数のレベルと所定のセグメント内で交差する回数を導き出すことによって前記特徴ベクトルを形成することと
を含む、画像を表す特徴ベクトルを導き出す方法。
【請求項２】
前記回数しきい値関数は所定の定数である、請求項１記載の画像を表す特徴ベクトルを導き出す方法。
【請求項３】
前記特徴ベクトルは、
前記一次元表現の前記レベルがそれぞれの異なる所定の回数しきい値関数のレベルと所定のセグメント内でそれぞれ交差する回数を導き出すこと
によって形成される、請求項１または２記載の画像を表す特徴ベクトルを導き出す方法。
【請求項４】
二次元以上の画像を表す特徴ベクトルを導き出す方法であって、
（ｉ）入力画像マッパーが所定のマッピング関数を使用して前記画像の一次元表現を導き出すことであって、前記一次元表現は、連続的に変化して前記画像の隣接領域を表すレベルを有する、前記画像の一次元表現を導き出すことと、
（ｉｉ）画像テクスチャ分類器が、少なくとも、前記レベルが傾きしきい値関数のレベルと交差するときの前記レベルの傾き値を導き出すことによって前記特徴ベクトルを形成することと
を含む、画像を表す特徴ベクトルを導き出す方法。
【請求項５】
前記特徴ベクトルは、
前記レベルが傾きしきい値関数のレベルと交差するときの前記レベルの傾き値も導き出すこと
によって形成される、請求項１〜３のいずれか一項記載の画像を表す特徴ベクトルを導き出す方法。
【請求項６】
前記傾きしきい値関数は所定の定数である、請求項４または５記載の画像を表す特徴ベクトルを導き出す方法。
【請求項７】
前記傾き値は、前記レベルが前記傾きしきい値関数のレベルと交差する複数のポイントにおける前記レベルの傾き値の平均の関数である、請求項４〜６のいずれか一項記載の画像を表す特徴ベクトルを導き出す方法。
【請求項８】
前記特徴ベクトルは、
２つの傾き値であって、一方は前記一次元表現の前記レベルが増加しているときの交差に関連し、他方は前記一次元表現の前記レベルが減少しているときの交差に関連する、２つの傾き値
を導き出すことによって形成される、請求項４〜７のいずれか一項記載の画像を表す特徴ベクトルを導き出す方法。
【請求項９】
二次元以上の画像を表す特徴ベクトルを導き出す方法であって、
（ｉ）入力画像マッパーが所定のマッピング関数を使用して前記画像の一次元表現を導き出すことであって、前記一次元表現は、連続的に変化して前記画像の隣接領域を表すレベルを有する、前記画像の一次元表現を導き出すことと、
（ｉｉ）画像テクスチャ分類器が、少なくとも、前記レベルが持続期間しきい値関数のレベルを上回った（または下回った）ままである間隔の長さに依存する持続期間値を導き出すことによって前記特徴ベクトルを形成することと
を含む、画像を表す特徴ベクトルを導き出す方法。
【請求項１０】
前記特徴ベクトルは、
前記レベルが持続期間しきい値関数のレベルを上回った（または下回った）ままである間隔の長さに依存する持続期間値も導き出すこと
によって形成される、請求項１〜８のいずれか一項記載の画像を表す特徴ベクトルを導き出す方法。
【請求項１１】
前記持続期間しきい値関数は所定の定数である、請求項９または１０記載の画像を表す特徴ベクトルを導き出す方法。
【請求項１２】
前記持続期間値は、前記一次元表現の前記レベルが前記持続期間しきい値関数を上回った（または下回った）ままである複数の持続期間の統計関数である、請求項９、１０、または１１記載の画像を表す特徴ベクトルを導き出す方法。
【請求項１３】
前記特徴ベクトルは、前記一次元表現の第１の部分から導き出され、
前記方法は、前記一次元表現の連続部分それぞれを表す特徴ベクトルをさらに導き出すステップを含む、
請求項１〜１２のいずれか一項記載の画像を表す特徴ベクトルを導き出す方法。
【請求項１４】
前記連続部分は互いに重複する、請求項１３記載の画像を表す特徴ベクトルを導き出す方法。
【請求項１５】
前記特徴ベクトルを導き出す前に、
前記一次元表現をスケーリングするステップであって、それによって前記表現のダイナミックレンジの変動を補償する、前記一次元表現をスケーリングするステップ
を含む、請求項１〜１４のいずれか一項記載の画像を表す特徴ベクトルを導き出す方法。
【請求項１６】
前記画像の前記一次元表現は前記画像のグレースケールでの変動を表す、請求項１〜１５のいずれか一項記載の画像を表す特徴ベクトルを導き出す方法。
【請求項１７】
二次元画像を表す特徴ベクトルを導き出すために使用される、請求項１〜１６のいずれか一項記載の画像を表す特徴ベクトルを導き出す方法。
【請求項１８】
請求項１〜１７のいずれか一項記載の方法を使用して特徴ベクトルを導き出すことと、
その次に、特徴空間内の複数の指定領域のいずれがその特徴ベクトルを包含するかを求めることと
を含む二次元以上の画像の分類方法。
【請求項１９】
請求項１〜１７のいずれか一項記載の方法を使用して特徴ベクトルを導き出すように構成される二次元以上の画像の解析装置。
【誤訳訂正２】
【訂正対象書類名】明細書
【訂正対象項目名】００２７
【訂正方法】変更
【訂正の内容】
【００２７】
交差レート推定器（ＣＲＥ）１０４の制御入力は参照レベル発生器（ＲＬＧ）１０３に接続されて、ターゲット関数表現からの特徴抽出に使用する識別レベルを設定するのに適したレートしきい値関数（この実施形態では単純な定数値）を定義する信号をライン２０４上で受け取る。同様に、交差傾き推定器（ＣＳＥ）１０５および滞留間隔推定器（ＳＴＥ）１０６も、参照レベル発生器（ＲＬＧ）１０３からライン２０５および２０６上それぞれにおいて、これら推定器が特徴抽出に使用する識別レベルを設定するのに適した傾きしきい値関数および適した持続期間しきい値関数を定義する信号を受け取る。
【手続補正書】
【提出日】平成19年1月18日(2007.1.18)
【手続補正１】
【補正対象書類名】明細書
【補正対象項目名】０００４
【補正方法】変更
【補正の内容】
【０００４】
このため刊行物においては、特殊な装置を用いる特殊な適用例を除けば、通常は化学反応の速度が電気化学的に測定されない。このような装置の例は、当分野では回転リング／ディスク電極として知られている。この装置は、比較的反応速度が速いものだけに適用でき、特性のある流体力学により既知の制御された速度で電極を回転させる必要がある。
【特許文献１】米国特許第５，４３７，９９９号
【誤訳訂正書】
【提出日】平成19年3月8日(2007.3.8)
【誤訳訂正１】
【訂正対象書類名】特許請求の範囲
【訂正対象項目名】請求項１
【訂正方法】変更
【訂正の内容】
【請求項１】
時分割多重接続（ＴＤＭＡ）通信システムにおいて、アナログデータ信号からデジタルデータを抽出する方法であって、バーストまたはタイムスロットで通信リンクの前記アナログデータ信号を交換し、データ回復回路を使用することにより、前記アナログデータ信号と適応閾値またはスライスレベルとの大小を比較してデジタルデータを回復し、バーストまたはタイムスロットと関連する通信リンクの環境に応じて、各バーストまたはタイムスロットについて前記スライスレベルが個別に設定され、前記データ復元回路がデジタル回路であって、前記設定されたスライスレベルが各バーストまたはタイムスロットに対して記憶されることを特徴とする方法。
【誤訳訂正２】
【訂正対象書類名】特許請求の範囲
【訂正対象項目名】請求項１０
【訂正方法】変更
【訂正の内容】
【請求項１０】
時分割多重接続（ＴＤＭＡ）通信システムにおいてアナログデータ信号からデジタルデータを抽出するデジタルデータ復元回路であって、アナログデータ信号をデジタルデータ信号に変換するアナログ／デジタル変換（ＡＤＣ）手段と、閾値またはスライスレベルを与えると共に設定されたフィルタ時定数に従ってデジタルデータ信号をフィルタ処理するデジタルフィルタ手段と、復元されたデジタルデータを提供するためにデジタルデータ信号とスライスレベルを比較するデジタル比較器とを含むデジタルデータ復元回路であって、デジタルフィルタ手段がフィルタ時定数とスライスレベルをデジタル的に調整するように構成され、さらに接続中の通信リンクについて１つのまたは各スライスレベルを記憶、検索するための記憶手段を有するデジタルデータ復元回路。
【誤訳訂正３】
【訂正対象書類名】特許請求の範囲
【訂正対象項目名】請求項１５
【訂正方法】変更
【訂正の内容】
【請求項１５】
時分割多重接続（ＴＤＭＡ）無線通信規格にしたがった無線通信を行うように構成された送信機、受信機および制御手段を有し、無線通信用無線通信システムで使用される無線機器であって、該無線機器は、前記請求項のいずれかにしたがって構成され、動作するデジタルデータ復元回路を有し、該デジタルデータ復元手段は、前記アナログデータ信号をデジタルデータ信号に変換するアナログ・デジタル変換（ＡＤＣ）手段と、閾値またはスライスレベルを与えると共に設定されたフィルタ時定数に従って前記デジタルデータ信号をフィルタ処理するデジタルフィルタ手段と、復元されたデジタルデータを提供するために前記デジタルデータ信号と前記スライスレベルを比較するデジタル・コンパレータとを含み、前記フィルタ時定数およびスライスレベルをデジタル的に調整するように前記デジタルフィルタ手段が構成されていて、更に、接続中の通信リンクについて１つのまたは各スライスレベルを保存、検索する記憶手段を含む前記無線機器。
【誤訳訂正４】
【訂正対象書類名】明細書
【訂正対象項目名】００１７
【訂正方法】変更
【訂正の内容】
【００１７】
この発明の第一の側面は、時分割多重接続（ＴＤＭＡ）通信システムにおいてアナログデータ信号からデジタルデータを抽出する方法であって、バーストまたはタイムスロットで通信リンクのアナログデータ信号が交換され、デジタルデータ回復回路を使用することにより、前記アナログデータ信号と適応閾値またはスライスレベルとの大小を比較してデジタルデータが回復される方法でありバーストまたはタイムスロットと関連する通信リンクの環境に従って各バーストまたはタイムスロットについてスライスレベルを個別に設定することを特徴とする。
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
表示部より高解像度の画像を取得するステップと、
取得済画像の一部を自動特定し重点領域にするステップと、
重点領域内画像構成要素を用い表示部表示向けに重点領域画像を作成するステップと、
重点領域画像を表示するステップと、
を有する表示部表示向け概要画像作成方法。
【請求項２】
原画像を取得するステップと、
表示部表示用にリサンプリングした結果から原画像に対応する外観を有する概要画像を作成するステップと、
原画像の一部分だけを含む重点領域を原画像中で特定するステップと、
原画像に対応する外観を有する概要画像を表示するステップと、
特定した重点領域に対応する画像コンテンツを含む重点領域画像を表示するステップと、
を有し、
重点領域画像内における重点領域画像コンテンツの表示倍率が、原画像対応版概要画像内に表示したときの重点領域における表示倍率より有意に高い画像内重点領域表示方法。
【請求項３】
原画像源と、
表示部と、
原画像を受け取り受け取った原画像に基づき表示部表示用画像を作成する機能を有する信号プロセッサと、
原画像が何を示しているかを描写する概要画像、並びに原画像のうち重点領域相当部分のみを描写する重点領域画像を、信号プロセッサにより何れも表示部表示用に作成させる機能を有するコントローラと、
撮像系と、
撮像系における焦点距離を決定するレンジファインダと、
を備え、
レンジファインダが、撮影光景内の複数個の領域について焦点距離を決定してそれら領域のうち１個を合焦対象として選択指定し、撮像系は、選択指定された焦点距離にて合焦して原画像を撮影取得し、コントローラ及び信号プロセッサが、選択指定された領域を原画像に照らし合わせて原画像中の重点領域を特定する表示装置。
【手続補正２】
【補正対象書類名】明細書
【補正対象項目名】発明の名称
【補正方法】変更
【補正の内容】
【発明の名称】概要画像作成方法、重点領域表示方法及び表示装置
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
１つ以上のマーク（ＰＣ）を含む、捕捉された眼鏡レンズ（１０３）の影の補正のための装置であって、
前記眼鏡レンズを受容するための受容手段（１２１、１１４）と、
前記受容手段の一方の側に配置された、前記受容手段上の前記眼鏡レンズ（１０３）を照明するための照明手段（Ｓ）と、
前記受容手段の他方の側に配置された、前記照明手段（Ｓ）によって照明された前記眼鏡レンズの影を捕捉するための捕捉手段（１２２、１２５、Ｃ）と、
前記眼鏡レンズにより生じた光学的偏向出力を測定し、該偏向出力を表す信号を送るように構成された測定手段（Ｓ、１２４、Ｃ）と、
前記捕捉手段（１２２、１２５、Ｃ）により得られた前記眼鏡レンズの影の少なくとも一部の補正形状を、測定された前記偏向出力から推定するための幾何学的補正計算命令を発する電子計算機システムと、
を有する装置。
【請求項２】
前記補正形状は、前記眼鏡レンズが偏向出力を生じさせない場合に該眼鏡レンズの影が呈する形状に実質的に一致する、請求項１に記載の装置。
【請求項３】
前記測定手段（Ｓ、１２４、Ｃ）は、一直線上にない３つの点を経由して眼鏡レンズを透過する少なくとも３つの光線について、前記眼鏡レンズにより生じた偏向出力を測定するように構成される、請求項１又は２に記載の装置。
【請求項４】
前記測定手段は、偏向法によって処理を行うタイプであるとともに、前記受容手段（１２１、１１４）と前記捕捉手段（１２２、１２５、Ｃ）との間に配置された少なくとも１つのビーム分離器を有し、前記ビーム分離器は、前記受容手段と前記捕捉手段との間に配置された少なくとも１つの記号（１２４Ａ、１２４Ｂ）のためのサポート（１２４）であり、前記電子計算機システムにより計算された幾何学的補正関係は、前記捕捉手段（１２２、１２５、Ｃ）により得られた前記記号（１２４Ａ、１２４Ｂ）の変形した影の関数である、請求項１〜３のいずれか１項に記載の装置。
【請求項５】
前記電子計算機システムにより制御され、前記捕捉手段（１２２、１２５、Ｃ）により得られた影を少なくとも部分的に補正した形状を表示する表示手段を有する、請求項１〜４のいずれか１項に記載の装置。
【請求項６】
１つ以上のマーク（ＰＣ）を含む、捕捉された眼鏡レンズ（１０３）の影の補正のための方法であって、
光線によって前記眼鏡レンズを照明するステップと、
前記光線の少なくとも１つの入射光について、前記眼鏡レンズにより生じた光学的偏向出力を測定するステップと、
前記光線によって照明されているときの前記眼鏡レンズの影の少なくとも一部の補正形状を、測定された前記偏向出力から推定するステップと、
を含む方法。
【請求項７】
前記補正形状は、前記眼鏡レンズが偏向出力を生じさせない場合に該眼鏡レンズの影が呈する形状に実質的に一致する、請求項６に記載の方法。
【請求項８】
前記眼鏡レンズにより生じた偏向出力の測定は、一直線上にない３つの点を経由して眼鏡レンズを透過する少なくとも３つの異なる光線について行われる、請求項６又は７に記載の方法。
【請求項９】
前記眼鏡レンズの偏向出力を測定するために、偏向法を利用する手段を使用する、請求項６〜８のいずれか１項に記載の方法。
【請求項１０】
前記眼鏡レンズの偏向出力を測定するために、前記眼鏡レンズを照明してその影を捕捉手段（１２２、１２５、Ｃ）によって検知し、さらに前記補足手段と前記眼鏡レンズとの間にビーム分離器を配置する、請求項９に記載の方法。
【請求項１１】
前記眼鏡レンズの偏向出力を測定するために、干渉法を利用する手段を使用する、請求項６〜８のいずれか１項に記載の方法。
【請求項１２】
多重焦点レンズの遠方又は近方の少なくとも１つの基準マークの補正位置を求めるために、前記マークの幾何学的補正を行う、請求項６〜１１のいずれか１項に記載の方法。
【請求項１３】
前記眼鏡レンズの中心及び軸マーキングの一方又は双方の影の補正位置を求めるために、前記影の幾何学的補正を行う、請求項６〜１２のいずれか１項に記載の方法。
【請求項１４】
前記眼鏡レンズの切断後の望ましい輪郭を表す仮想画像（２００）を表示スクリーン（１０５）上に表示し、前記眼鏡レンズのマーキングの影の補正位置に対する前記輪郭の画像の位置を特定する、請求項１３に記載の方法。
【請求項１５】
前記眼鏡レンズの影の補正形状を表示スクリーン（１０５）上に表示するステップを含む、請求項６〜１４のいずれか１項に記載の方法。
【請求項１６】
前記表示するステップの間に、前記眼鏡レンズの輪郭の影が幾何学的補正計算をせずに表示される、請求項１５に記載の方法。
【請求項１７】
前記眼鏡レンズのマークの影を認識するステップと、前記影の幾何学的補正計算を行って該影の既知の基準座標系内での補正位置を推定するステップとを有し、前記補正位置は、前記眼鏡レンズが偏向出力を生じさせないときの前記基準座標系内における前記マークの影の位置に実質的に一致する、請求項６〜１６のいずれか１項に記載の方法。
【請求項１８】
前記眼鏡レンズの自動センタリングについて、前記眼鏡レンズの中心及び軸マーキングの一方又は双方の影が認識される、請求項１７に記載の方法。
【手続補正２】
【補正対象書類名】明細書
【補正対象項目名】００２９
【補正方法】変更
【補正の内容】
【００２９】
顎１１４の把持は、リング１１９と噛み合う歯車１１８に固定されたシャフトを有するモーター１１７によって制御され、リング１１９はアーム１１５をその軸の回りで旋回させるように構成される。アーム１１５の各々は、リング１１９の外周と噛み合う半円歯状部（図示せず）を有する。歯車１１８がモーター１１７の駆動により回転すると、リング１１９が回転し、それにより顎１１４は、リング１１９が駆動される方向に応じて締めたり緩めたりする。光学セル又は電磁セル１２０は、リング１１９の位置をモーター１１７に知らせるのに役立つ。
【手続補正３】
【補正対象書類名】明細書
【補正対象項目名】００６４
【補正方法】変更
【補正の内容】
【００６４】
６つの未知数（ａ、ｂ、ｃ、ｄ、ｅ、ｆ）については、以下の６つの式からなる連立方程式を解く必要がある。
ＤＸ（Ａ１）＝ａＸ・Ａ１＋ｂＹ・Ａ１＋ｃ
ＤＹ（Ａ１）＝ｄＸ・Ａ１＋ｅＹ・Ａ１＋ｆ
ＤＸ（Ａ２）＝ａＸ・Ａ２＋ｂＹ・Ａ２＋ｃ
ＤＹ（Ａ２）＝ｄＸ・Ａ２＋ｅＹ・Ａ２＋ｆ
ＤＸ（Ａ３）＝ａＸ・Ａ３＋ｂＹ・Ａ３＋ｃ
ＤＹ（Ａ３）＝ｄＸ・Ａ３＋ｅＹ・Ａ３＋ｆ
【手続補正４】
【補正対象書類名】明細書
【補正対象項目名】００８３
【補正方法】変更
【補正の内容】
【００８３】
眼鏡レンズ１０３を自動又は手動でセンタリングするために、上述のステップａ〜ｄの前に、オペレータは、コントロールパッドを用いて、センタリングすべき眼鏡レンズのタイプ、選択されたフレームの中心であるボクシング中心ＣＢ（以下の定義を図５Ｂ及び図５Ｃとともに参照）に対するレンズ１０３の中点ＰＣ（図５Ａ〜図５Ｃを参照）の位置、及び、円柱状単焦点レンズの場合にはレンズの軸の所望の向きを、センタリング−ブロッキング装置に知らせる。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
画素構成ディスプレイ装置と、
ディスプレイ情報を照明光に付与するために、該照明光を前記画素構成ディスプレイ装置に向ける照明システムと、
ディスプレイスクリーンに向かって前記照明光を投影するために、前記画素構成ディスプレイ装置から付与されたディスプレイ情報を有する前記照明光を受ける投影レンズアセンブリであって、前記投影レンズアセンブリ停止位置の近くの画素シフト素子を備え、該画素シフト素子は少なくとも２つの位置の間で周期的にシフトして前記ディスプレイスクリーンにおいて少なくとも２つのインターレース画素配列を形成し、前記画素シフト素子は、前記投影レンズアセンブリ内に配置されたフォールドミラーを備え、前記画素シフト素子の周期的シフトは、前記フォールドミラーの周期的傾動を含む投影レンズアセンブリと、を備える投影ディスプレイシステム。
【請求項２】
前記画素シフト素子は、２つのインターレース画素配列の間に垂直のずれを提供する２つの位置の間で周期的にシフトする、請求項１に記載の投影ディスプレイシステム。
【請求項３】
前記画素シフト素子は、４つの位置の間で周期的にシフトして、前記ディスプレイスクリーンで４つのインターレース画素配列を形成する、請求項１に記載の投影ディスプレイシステム。
【請求項４】
前記ディスプレイ装置は、赤色、緑色および青色の色サブフィールドでフィールド順次方式で動作され、前記画素シフト素子は、青色の色サブフィールドの中の少なくとも２つの位置の間で周期的にシフトする、請求項１に記載の投影ディスプレイシステム。
【請求項５】
前記画素シフト素子は、電気機械振動子によって周期的にシフトされる、請求項１に記載の投影ディスプレイシステム。
【請求項６】
前記電気機械振動子は、圧電振動子を含む、請求項５に記載の投影ディスプレイシステム。
【請求項７】
前記電気機械振動子は、圧電振動子を含まない、請求項５に記載の投影ディスプレイシステム。
【請求項８】
投影ディスプレイシステム用の投影レンズアセンブリであって、
複数の投影レンズ素子と、
前記投影レンズアセンブリの投影レンズ素子間に配置された、停止位置の近くの画素シフト素子であって、前記投影レンズアセンブリの中の少なくとも２つの位置の間で周期的にシフトする画素シフト素子と、を備える投影レンズアセンブリ。
【請求項９】
前記画素シフト素子は、２つの垂直のずれた位置の間で周期的にシフトする、請求項８に記載の投影レンズアセンブリ。
【請求項１０】
前記画素シフト素子は、４つの位置の間で周期的にシフトする、請求項８に記載の投影レンズアセンブリ。
【請求項１１】
前記画素シフト素子は、前記投影レンズアセンブリの中に配置される設定可能なくさびを備え、前記画素シフト素子の前記周期シフトは、第１の設定および第２の設定への前記くさびの傾斜を含む、請求項８に記載の投影レンズアセンブリ。
【請求項１２】
前記くさびは、前記投影レンズアセンブリの中に配置される透明なくさびを備え、前記画素シフト素子の前記周期シフトは、前記くさびを通って延在する軸を中心にした回転を含む、請求項１１に記載の投影レンズアセンブリ。
【請求項１３】
隣接する画素の配列を有する画素構成ディスプレイ装置と、
ディスプレイ情報を照明光に付与するために、前記画素構成ディスプレイ装置に該照明光を向ける照明システムであって、第１の光軸および第２の光軸に沿って交互に照明を向ける第１の照明源および第２の照明源を備える照明システムと、
ディスプレイスクリーンに向かって前記照明光を投影するために、前記画素構成ディスプレイ装置から付与されたディスプレイ情報を有する前記照明光を受ける投影レンズアセンブリであって、前記第１の光軸および前記第２の光軸と位置合わせされた第１と第２の端部と端部が固定されたくさび素子を含む画素シフトくさび素子であって、付与されたディスプレイ情報を有する前記照明光のシフトを周期的に与え、前記ディスプレイスクリーンにおいて少なくとも２つのインターレース画素配列を形成する画素シフトくさび素子を有する投影レンズアセンブリと、を備える投影ディスプレイシステム。
【請求項１４】
画素構成ディスプレイ装置と、
ディスプレイ情報を照明光にフィールド順次方式で付与するために、該照明光を前記画素構成ディスプレイ装置に向ける照明システムであって、前記照明光が、連続的な赤色、緑色および青色の色サブフィールドを有する照明システムと、
ディスプレイスクリーンに向かって前記照明光を投影するために、前記画素構成ディスプレイ装置によってディスプレイ情報を付与された前記照明光を受けるように配置される投影レンズアセンブリと、
青色サブフィールドの中の少なくとも２つの位置のみの間で周期的にシフトし、かつ他の色サブフィールドの中では周期的にシフトすることなく、ディスプレイスクリーンにおいて少なくとも２つのインターレース画素配列を形成する画素シフト素子と、を備える投影ディスプレイシステム。
【請求項１５】
前記画素シフト素子は、前記投影レンズアセンブリの中に配置される、請求項１４に記載の投影ディスプレイシステム。
【請求項１６】
前記画素シフト素子は、前記投影レンズアセンブリの中に配置される透明なくさびを備え、前記画素シフト素子の前記周期シフトは、第１の位置と第２の位置との間で前記くさびを傾けることを含む、請求項１４に記載の投影ディスプレイシステム。
【請求項１７】
画素構成ディスプレイ装置と、
ディスプレイ情報を照明光に付与するために該照明光を前記画素構成ディスプレイ装置に向ける照明システムと、
ディスプレイスクリーンに向かって前記照明光を投影するために、前記画素構成ディスプレイ装置から、付与されたディスプレイ情報を有する前記照明光を受ける投影レンズアセンブリであって、少なくとも２つの位置の間で非回転平行移動によって周期的にシフトして、ディスプレイスクリーンにおいて少なくとも２つのインターレース画素配列を形成し、さらに平面上の表面をもつフォールドミラーを有する停止位置の近くの画素シフト素子を備える投影レンズアセンブリとを、備える投影ディスプレイシステム。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
ピタバスタチン類及びイコサペント酸又はそのエステル誘導体を有効成分とする高脂血症治療剤。
【請求項２】
ピタバスタチン類が、ピタバスタチンカルシウムである請求項１記載の高脂血症治療剤。
【請求項３】
イコサペント酸のエステル誘導体が、イコサペント酸エチルである請求項１又は２記載の高脂血症治療剤。
【請求項４】
血中トリグリセリド低下剤である請求項１〜３のいずれか１項記載の高脂血症治療剤。
【請求項５】
ピタバスタチン類及びイコサペント酸又はそのエステル誘導体並びに薬学的に許容される担体を含有する高脂血症治療用組成物。
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
以下の構造式のいずれかにより表わされる化合物、またはそれらの薬学的に受容可能な異性体、塩、溶媒和物または多形：
【化１】
2007523051.tif 000001
【化２】
2007523051.tif 000002
【請求項２】
有効量の請求項１に記載の少なくとも１種の化合物と、少なくとも１種の薬学的に受容可能なキャリアとを含有する、薬学的組成物。
【請求項３】
トロンビンレセプターを阻害するための組成物であって、有効量の請求項１に記載の少なくとも１種の化合物を含む、組成物。
【請求項４】
カンナビノイドレセプターを阻害するための組成物であって、有効量の請求項１に記載の少なくとも１種の化合物を含む、組成物。
【請求項５】
血栓症、血小板凝集、凝血、癌、炎症疾患または呼吸器疾患を処置するための組成物であって、有効量の請求項１に記載の少なくとも１種の化合物を含む、組成物。
【請求項６】
アテローム性動脈硬化症、再狭窄、高血圧症、狭心症、不整脈、心不全、心筋梗塞、糸球体腎炎、血栓性卒中、血栓塞栓性卒中、末梢血管疾患、脳虚血、関節リウマチ、全身性エリテマトーデス、多発性硬化症、糖尿病、骨粗鬆症、腎虚血、脳卒中、脳虚血、腎炎、肺および胃腸管の炎症障害、可逆性気道閉塞、慢性喘息または気管支炎を処置するための組成物であって、有効量の請求項１に記載の少なくとも１種の化合物を含む、組成物。
【請求項７】
以下の構造式により表わされる化合物、またはそれらの薬学的に受容可能な異性体、塩または溶媒和物：
【化３】
2007523051.tif 000003
【請求項８】
以下の構造式により表わされる化合物、またはそれらの薬学的に受容可能な異性体、塩または溶媒和物：
【化４】
2007523051.tif 000004
【請求項９】
以下の構造式により表わされる化合物、またはそれらの薬学的に受容可能な異性体、塩または溶媒和物：
【化５】
2007523051.tif 000005
【請求項１０】
以下の構造式により表わされる化合物、またはそれらの薬学的に受容可能な異性体、塩または溶媒和物：
【化６】
2007523051.tif 000006
【請求項１１】
以下の構造式により表わされる化合物、またはそれらの薬学的に受容可能な異性体、塩または溶媒和物：
【化７】
2007523051.tif 000007
【請求項１２】
以下の構造式により表わされる化合物、またはそれらの薬学的に受容可能な異性体、塩または溶媒和物：
【化８】
2007523051.tif 000008
【請求項１３】
以下の構造式により表わされる化合物、またはそれらの薬学的に受容可能な異性体、塩または溶媒和物：
【化９】
2007523051.tif 000009
【請求項１４】
以下の構造式により表わされる化合物、またはそれらの薬学的に受容可能な異性体、塩または溶媒和物：
【化１０】
2007523051.tif 000010
【請求項１５】
以下の構造式により表わされる化合物、またはそれらの薬学的に受容可能な異性体、塩または溶媒和物：
【化１１】
2007523051.tif 000011
【請求項１６】
以下の構造式により表わされる化合物、またはそれらの薬学的に受容可能な異性体、塩または溶媒和物：
【化１２】
2007523051.tif 000012
【請求項１７】
以下の構造式により表わされる化合物、またはそれらの薬学的に受容可能な異性体：
【化１２−１】
2007523051.tif 000013
【請求項１８】
以下の構造式により表わされる化合物、またはそれらの薬学的に受容可能な異性体：
【化１２−２】
2007523051.tif 000014
【請求項１９】
以下の構造式により表わされる化合物、またはそれらの薬学的に受容可能な異性体：
【化１２−３】
2007523051.tif 000015
【請求項２０】
以下の構造式により表わされる化合物、またはそれらの薬学的に受容可能な塩：
【化１２−４】
2007523051.tif 000016
【請求項２１】
以下の構造式により表わされる化合物、またはそれらの薬学的に受容可能な塩：
【化１２−５】
2007523051.tif 000017
【請求項２２】
以下の構造式により表わされる化合物、またはそれらの薬学的に受容可能な塩：
【化１２−６】
2007523051.tif 000018
【請求項２３】
以下の構造式により表わされる化合物、またはそれらの薬学的に受容可能な溶媒和物：
【化１２−７】
2007523051.tif 000019
【請求項２４】
以下の構造式により表わされる化合物、またはそれらの薬学的に受容可能な溶媒和物：
【化１２−８】
2007523051.tif 000020
【請求項２５】
以下の構造式により表わされる化合物、またはそれらの薬学的に受容可能な溶媒和物：
【化１２−９】
2007523051.tif 000021
【請求項２６】
有効量の以下の構造式により表わされる化合物と、薬学的に受容可能なキャリアとを含む薬学的組成物：
【化１２−１０】
2007523051.tif 000022
【請求項２７】
有効量の以下の構造式により表わされる化合物と、薬学的に受容可能なキャリアとを含む薬学的組成物：
【化１２−１１】
2007523051.tif 000023
【請求項２８】
有効量の以下の構造式により表わされる化合物と、薬学的に受容可能なキャリアとを含む薬学的組成物：
【化１２−１２】
2007523051.tif 000024
【請求項２９】
アスピリンおよび重硫酸クロピドグレルからなる群より選択される一つ以上のさらなる心血管剤と組み合わせて、有効量の以下の構造式により表わされる化合物を含む薬学的組成物：
【化１２−１３】
2007523051.tif 000025
【請求項３０】
アスピリンおよび重硫酸クロピドグレルからなる群より選択される一つ以上のさらなる心血管剤と組み合わせて、有効量の以下の構造式により表わされる化合物を含む薬学的組成物：
【化１２−１４】
2007523051.tif 000026
【請求項３１】
アスピリンおよび重硫酸クロピドグレルからなる群より選択される一つ以上のさらなる心血管剤と組み合わせて、有効量の以下の構造式により表わされる化合物を含む薬学的組成物：
【化１２−１５】
2007523051.tif 000027